(57)【要約】【課題】排気によって装置の周囲の大気を汚染することが無く、粉粒体の移動効率の高い粉粒体吸引装置を提供する。【解決手段】原料４００と空気との混合気を吸引補助パイプ３００の先端から吸引し、混合気を逆円錐状の吸引室１０１１内で螺旋状に流動させて混合気から原料４００を分離する吸引装置であって、原料４００を分離した混合気を吸引補助パイプ３００の先端の近傍から排出する。【選択図】        図２
2004161392.tif 000002
【特許請求の範囲】
【請求項１】
粉粒体と空気との混合気を吸引口から吸引し、前記混合気を逆円錐状の渦室内で螺旋状に流動させて前記混合気から前記粉粒体を分離する粉粒体吸引装置であって、
前記粉粒体を分離した混合気を前記吸引口の近傍から排出することを特徴とする粉粒体吸引装置。
【請求項２】
前記混合気を前記渦室内に導入する経路と、前記粉粒体を分離した混合気を前記渦室から排出する経路とが、二重構造の管状部材によって形成されたことを特徴とする請求項１記載の粉粒体吸引装置。
【発明の詳細な説明】
【０００１】
【発明の属する技術分野】
本発明は、粉粒体を空気と共に吸引する装置に関し、特に、装置の周囲の大気を汚染すること無く粉粒体を効率良く吸引できる粉粒体吸引装置に関する。
【０００２】
【従来の技術】
粉状の物体や粒状の物体（粉粒体）を容器などに送り込む場合には、粉粒体を空気とともに移動させる空気輸送方式の装置が用いられている。
【０００３】
空気輸送方式で容器内に粉粒体を送り込むためには、移動させた粉粒体と空気とを分離しなければならない。このため、粉粒体とともに空気を吸引し、これらの混合気を螺旋状に流動させることで粉粒体と空気とを分離する「サイクロン」を備えた吸引装置が広く適用されている。
【０００４】
従来の吸引装置では、サイクロンによって粉粒体から分離した空気を装置の外部に排出しているが、排気中には、空気と分離しきれなかった粉粒体が含まれるため、装置の周囲の大気を汚染してしまうこととなる。
【０００５】
また、排気による装置周辺の大気汚染を軽減するために、フィルタを通してから装置外に排気する場合には、フィルタの空気抵抗によって粉粒体を吸引する力が弱くなり、粉粒体の移動効率（単位時間当たりの粉粒体の移動量）が低下してしまう。
【０００６】
特許文献１に開示される「サイクロン」は、逆円錐状の本体の上部周壁に接線方向のガス導入口を、本体の上部中央にガス導出口を、本体の下端部に導入ガスから分離した粉粒体の排出口をそれぞれ備えたサイクロンにおいて、ガス導出口から導出したガスの一部をガス導入口に循環させる循環経路及び送風機を設けたものである。
これにより、フィルタのメンテナンスを不要とし、稼動効率を向上させている。
【０００７】
【特許文献１】
特開平０７−２５６１５２号公報
【０００８】
【発明が解決しようとする課題】
しかし、特許文献１に記載の発明では、ガス導入口へ循環されないガスは、従来のサイクロンと同様に、装置の外部に排出される。よって、装置の周囲には、分離しきれなかった粉粒体が残存したガスが排出されるため、装置の周囲の大気が汚染させることとなる。
【０００９】
本発明は、上記問題に鑑みてなされたものであり、排気によって装置の周囲の大気を汚染することが無く、粉粒体の移動効率の高い粉粒体吸引装置を提供することを目的とする。
【００１０】
【課題を解決するための手段】
本発明は、上記目的を達成するため、粉粒体と空気との混合気を吸引口から吸引し、混合気を逆円錐状の渦室内で螺旋状に流動させて混合気から粉粒体を分離する粉粒体吸引装置であって、粉粒体を分離した混合気を吸引口の近傍から排出することを特徴とする粉粒体吸引装置を提供するものである。
【００１１】
以上の構成において、混合気を渦室内に導入する経路と、粉粒体を分離した混合気を渦室から排出する経路とが、二重構造の管状部材によって形成されることが好ましい。
【００１２】
【発明の実施の形態】
本発明の好適な実施の形態について説明する。
図１に、本発明を好適に実施した吸引装置を示す。吸引装置１００はサイクロン本体１０１、吸気管１０２及び排気管１０３を有する。
【００１３】
サイクロン本体１０１は、吸引した粉粒体と空気との混合気を、粉粒体と空気とに分離するための部材である。吸気管１０２は、サイクロン本体１０１内に粉粒体と空気との混合気を導入するための管である。排気管１０３は、粉粒体を分離した空気をサイクロン本体から排出するための管である。
【００１４】
図２に、ホース２００を装着した状態での吸引装置１００の断面を示す。サイクロン本体１０１は、吸引室１０１１、原料止めフィルタ１０１２、ブロアモータ１０１３、原料落用ダンパ１０１４を有する。
【００１５】
吸引室１０１１は、吸気管１０２を介して導入された粉粒体と空気との混合気を螺旋状に流動させるための空間である。原料止めフィルタ１０１２は、排気管１０２を介して装置外へ送り出す空気から粉粒体を分離し、排気中に粉粒体が混入しないようにする。ブロアモータ１０１３は、吸引室１０１１内の原料止めフィルタ１０１２によって隔離された領域から空気を吸引し、吸引室１０１１内の混合気を螺旋状に流動させる。ブロアモータ１０１３には、ブロアモータ排気口１０１３ａが設けられており、吸引室１０１１から吸引した空気は、ここから排気管１０３を介して装置外へ排出される。ブロアモータ１０１３のサイクロン本体１０１から突出した部分は、ヘッドカバー１０４によって覆われて保護されている。原料落用ダンパ１０１４は、吸引室１０１１の下部に設けられた開口部を塞いでおり、粉粒体が吸引室１０１１から落下しないように堰き止めている。原料落用ダンパが移動して吸引室１０１１に形成された開口部が開くと、吸引室１０１１に堆積した粉粒体が落下する。
【００１６】
ホース２００は、内部ホース２０１と外部ホース２０２との二重構造の管材である。ホース２００を吸引装置１００に装着すると、内部ホース２０１と吸気管１０２とが接続され、外部ホース２０２と排気管１０３とが接続される。
ホース２００の吸引装置１００へ装着された側とは反対側には、内パイプ３０１及び外パイプ３０２の二重構造からなる吸引補助パイプ３００が装着されており、内パイプ３０１は内部ホース２０１と、外パイプ３０２は外部ホース２０２とそれぞれ接続されている。
【００１７】
吸引の装置１００の動作について説明する。
予め、吸引補助パイプ３００の先端を粉粒体である原料４００に挿入しておく。ブロアモータ１０１３に電力を供給して駆動させると、ブロアモータ１０１３は、吸引室１０１１の原料止めフィルタ１０１２によって隔離された領域から空気を吸引し、ブロアモータ排気口１０１３ａから排出する。これにより、吸引室１０１１内に負圧が発生する。
【００１８】
吸引室１０１１内に負圧が発生すると、内パイプ３０１、内部ホース２０１及び吸気管１０２を介して、原料４００が空気とともに吸引室１０１１内に吸い込まれる。
【００１９】
吸引室１０１１内に吸い込まれた原料４００と空気との混合気は、吸引室１０１１内で螺旋状に流動する。これにより、混合気は原料４００と空気とに分離され、分離された原料４００は、吸引室１０１１の下部に堆積する。
【００２０】
原料４００が分離された空気は、ブロアモータ１０３によって、原料止めフィルタ１０１２によって隔離された領域へ吸引される。この際、吸引室１０１１において分離しきれなかった原料４００は、原料止めフィルタ１０１２によって空気から分離される。
【００２１】
ブロアモータ排気口１０１３ａから排出された空気は、排気管１０３、外部ホース２０２及び外パイプ３０２を介して吸引補助パイプ３００の先端から噴出する。
【００２２】
吸引補助パイプ３００の先端から噴出した排気は、原料４００を巻き上げ、吸引補助パイプ３００の先端に原料４００と空気との混合気を形成する。
【００２３】
吸引補助パイプ３００の先端に形成された混合気は、吸引室１０１１内の負圧によって、内パイプ３０１、内部ホース２０１及び吸気管１０２を介して吸引室１０１１内に吸い込まれる。
【００２４】
このように、ブロアモータ１０１３が駆動している間は、原料４００と共に混合気として吸引室１０１１内に吸引された空気は、吸引室１０１１内で原料４００と分離された後に原料４００へ向けて噴射され、再び混合気を形成する。
【００２５】
本実施形態にかかる吸引装置１００は、原料４００を分離した空気を装置の周囲に排出せず、吸引口の近傍から噴出することにより、装置の周囲の大気の汚染を低減できる。
【００２６】
また、原料４００を分離した空気を原料４００に向けて噴射するため、吸気口の周囲には原料４００と空気との混合気が大量に形成される。よって、原料４００の移動効率を高くすることが可能である。
【００２７】
なお、上記実施形態は本発明の好適な実施の一例であり、本発明はこれに限定されることはない。
例えば、吸引装置１００の各部の形状は、図面に示した形に限定されるものではない。
また、上記実施形態では、二重構造のホースやパイプを適用する構成を例に説明を行ったが、粉粒体を分離した排気を吸引口の近傍で噴出するのであれば、どのように構成であってもよい。例えば、吸気経路と排気経路とが併設された構成であってもよい。
このように、本発明は様々な変形が可能である。
【００２８】
【発明の効果】
以上の説明によって明らかなように、本発明によれば、排気によって装置の周囲の大気を汚染することが無く、粉粒体の移動効率の高い粉粒体吸引装置を提供できる。
【図面の簡単な説明】
【図１】本発明を好適に実施した吸引装置を示す図である。
【図２】本発明を好適に実施した吸引装置にホースを取り付けた状態を示す図である。
【符号の説明】
１００  吸引装置
１０１  サイクロン本体
１０２  吸気管
１０３  排気管
１０４  ヘッドカバー
２００  ホース
２０１  内部ホース
２０２  外部ホース
３００  吸引補助パイプ
３０１  内パイプ
３０２  外パイプ
４００  原料（粉粒体）
１０１１  吸引室
１０１２  原料止めフィルタ
１０１３  ブロアモータ
１０１３ａ  ブロアモータ排気口
１０１４  原料落用ダンパ
【図１】
2004161392.tif 000003
【図２】
2004161392.tif 000004